(57)【特許請求の範囲】
【請求項１】
装置用の音減少及び冷却促進システムであって、
ハウジングと、
該ハウジング内にあるモーターと、
装置に連結される第一の端部を有し、前記モーターにより駆動される軸と、
前記軸の第二の端部により担持されたファンと、
前記ハウジング内に形成された空気入口領域と、
前記ハウジング内に形成された空気放出領域であって、前記ファンが前記空気入口領域を通過しかつ前記モーターを通過するよう前記ハウジング内に空気を引き込むところの空気放出領域と、
前記ファンから空気を受け取り、前記空気放出領域を通じて空気が出る前に空気の速度を減少させための、前記ファンと前記空気放出領域との間に位置する通路を含むディフューザと、
音響吸収材と、
該音響吸収材と向かい合い、間が離されて位置するチョーク板と、
から成り、
前記ファンが空気を前記音響吸収材に向け、
前記チョーク板が、前記ディフューザの前記通路の一面を形成する表面を有し、前記ディフューザの前記通路の他面が前記音響吸収材の表面により画成される、
から成るシステム。
【請求項２】
請求項１に記載のシステムであって、前記音響吸収材がその中にリセスを有し、前記音響吸収材が前記ファンを取り囲むように、前記ファンは前記リセス内に受設される、ところのシステム。
【請求項３】
請求項１に記載のシステムであって、さらに前記ディフューザの前記通路と前記空気放出領域との間に形成されたプリナムチャンバを含み、前記音響吸収材の前記表面及び前記チョーク板の前記表面は前記通路が前記プリナムチャンバへ伸長するに従い互いの方向へ接近するところのシステム。
【請求項４】
請求項１に記載のシステムであって、前記ハウジングは底面及びそこから上方へ伸張する側壁を有するベース部材を含み、前記空気入口領域は前記側壁の少なくともひとつに形成されたアパーチャを含み、前記空気放出領域は前記底面に形成された少なくともひとつの伸長したスロットを含むところのシステム。
【請求項５】
請求項４に記載のシステムであって、さらに前記少なくともひとつの伸長したスロットに隣接する前記ベース部材によって担持される音響吸収材を含むシステム。
【発明の詳細な説明】
【０００１】
【発明の属する技術分野】
本発明は、食品混合機のような家電製品のモーターを移動する空気の流れによって冷却すると同時に、その空気及びモーターによって発生したノイズを消すための装置に関する。
【０００２】
【従来技術と発明が解決しようとする課題】
モーターによって作動する多くの装置はオーバーヒートを防止するためにモーターを冷却するための装置を備える必要がある。そのような装置の典型は家庭内若しくは商業的環境で使用される食品混合機のような家電製品である。これらの装置において、しばしば回転モーター軸はその底付近にファンを備え、それは放熱用にモーターハウジング内部及びモーターの回りに冷却空気を引き込む。しかし、モーター自身のノイズ動作とともにこの空気の移動は、商店での客とともにユーザーに対して刺激となる非常に大きなノイズを時々与える。空気がより速く移動すればその冷却効果は所望されるが、それによってより大きなノイズが生成される。
【０００３】
結果として、空冷モーターによって生成されるノイズを消すかさもなければその量を減少させる方向へ努力が払われてきた。そのようなひとつの例が米国特許第5,273,358号に示されている。他の消音装置と同様にその特許に示された装置はモータ−及び移動空気によって作られるノイズを減少させるが、それらは空気の流量を犠牲にする。すなわち、ノイズを減少させるために、モーターを通過する空気の流量は減少させられ、それによって空気の冷却効果は妨げられる。
【０００４】
したがって、モーターを通過する空気の流れを妨げずにモーター及びその冷却空気によって生成されたノイズを消すか若しくは減少させる装置が必要であり、該装置は実際に空気の流量の増加と同時に音を消す。
【０００５】
【課題を解決するための手段】
したがって、本発明の目的は、空冷モーターを有する装置から発せられた音を消す装置を与えることである。
【０００６】
本発明の他の目的は、モーターを通過する空気の流量がモーターの冷却を強化するために増加されるところの上記装置を与えることである。
【０００７】
本発明の他の目的は、空気の出口速度を低下させるべく空気がファンからディフューザへ放出され、それによってそこから生成されるノイズを減少させるところの上記装置を与えることである。
【０００８】
本発明の付加的目的は、さらにノイズを減少させるべく該ディフューザを画成するひとつの壁は音吸収材から形成されているところの上記装置を与えることである。
【０００９】
以下の説明から明らかになる従来技術に対する利点とともに本発明のこれら及び他の目的はここに説明されかつ請求された改良によって達成される。
【００１０】
概して、装置を作動させるモーターの冷却を促進する装置は、一方で同時にモーター及びモーターを冷却する移動空気のノイズを吸収する、モーター用のハウジングを含む。モーター軸は一端が装置に取り付けられるように適応され、他端がファンを担持する。空気入口及び空気放出領域がハウジング内に形成され、ファンは入口領域を通じてハウジング内に空気を引き込みモーターを通過させる。ディフューザはファンから空気を受け取り、放出領域を通じて空気が出る前にその速度を減少させる。結果として、モーターを通過する空気流量は、同時に空気及びモーターのノイズが減少されながら増加される。
【００１１】
モーター及び移動空気によって生成されたノイズを消すと同時に、モーターを空気で冷却するための好適実施例装置は、本発明の概念を組み込んで、発明が実施されるであろうところのすべてのさまざまな形式及び修正を示そうとはせずに添付する図面内の例によって示され、発明は明細書ではなく特許請求の範囲によって決定される。
【００１２】
【発明の実施の態様】
食品混合機等のような家電製品のモーターハウジング部分は、概して数字10で示され、それは軸12を駆動する従来のモーター11を含む。チャンバ13はモーター11のために形成され、上部カップ状カバー14及びベース板15によって画成される。図１、２及び４に示されるように、不規則な形状のモーターケーシング16はプレート15からチャンバ13内に上方に伸張し、従来の方法でその中にモーター11を担持する。空気受け取りシュート17はまたプレート15から上方へ伸張し、それは以下に説明するように冷却空気を受け取りかつそれをチャンバ13へ方向付ける。
【００１３】
図４に最も良く示されるように、プレート15の底は、プレート15の概して近く若しくは周縁においてそこから下方に伸張する小さいリッジ18を備える。概してカップ形状のチョーク板19はプレート15のほぼ中央から下方に伸張しかつそこを通過する円形アパーチャ20を備える。チョーク板19の表面は図示されるように、いくらか弧状であるか線形の構成である。
【００１４】
図３及び５に最も良く示されるように、モーターハウジング10は概して数字21によって示されるようなベース部材を含む。ベース部材21は対向する支持面23上に配置された複数のコーナー脚22を含み、それは家電製品が置かれているテーブル若しくは他の支持面の底面24を持ち上げる。底面24は構造上の補強用にうね付け25を備え、対向側に沿って伸張する伸長したスロットアパーチャ26を有する。以下により詳細に説明されるように、アパーチャ26はモーターハウジング10からの冷却空気の出口を与える。
【００１５】
対向側壁27及び対向側壁28は支持面23から上方へ伸長し、それらの頂部エッジは、スナップフィット若しくは他の従来の手段により頂部カバー14の下側周縁エッジと係合するよう適応される。内壁29は、側壁27と平行に配置され、補強うね付け30によってそこから離隔されている。したがって、内壁29はアパーチャ26の側に配置されている。同様に、内壁31は側壁28と平行に配置され、補強うね付け32によってそこから離隔されている。ベース21上にカバー14があってその間にプレート15を有するようにモーターハウジング10が組立てられたとき、プレート15のリッジ18は内壁29及び31によって画成された周縁内に適合しそれによって部品間のシールが与えられる。少なくともひとつの側壁28は複数のアパーチャ33を備え、それは以下に詳細に説明されるように、モーターハウジング用の空気取り入れポートとして作用する。
【００１６】
リム34（図２）は底面24から上に伸張しかつ連続気泡音響泡ブロック35のような音響的な吸収材の周縁を受容するか若しくは配置するように適応される。それによって、ブロック35は内壁31の間のひとつの方向に伸張しかつ空気出口スロットアパーチャ26の間の他の方向へ伸張する。好適には円錐台形のリセス36がブロック35の概して中央に形成される。リセス36は円周上から伸張する傾斜面37を画成し、ファン受容チャンバ38が底面24付近の底面上で、傾斜面37付近の側でかつチョーク板19付近の頂部に画成される。
【００１７】
モーター軸12の上端は、それによって駆動されるべき家電製品のアイテムに取り付けられるようカバー14内に形成されたアパーチャ39を通じて上方に伸張しても良い。軸12の下端はチャンバ38内に伸張し、従来の軸方向取り入れ半径方向放出ファン40を担持し、それはチャンバ38内に配置され及びそれはチョーク板19内のアパーチャ20の直径より僅かに小さい半径方向の寸法を有する。
【００１８】
モーター11がファン40を回転させるよう作動するとき、外気はポート33を通じて引き込まれる。図１及び２内の矢印で示されるように、この空気はシュート17を上方に通過し、チャンバ13内に入り、モーター11を冷却するために下方へモーターの回りにモーターを通過して引かれる。その後、空気はファン40を概して半径方向に出て、ファン40を囲みかつモーター11及び空気によって生成されたノイズを吸収する泡ブロック35に出くわす。その後空気は、泡ブロック35の傾斜面37及びチョーク板19の円周に伸張する傾斜面42によって画成されるディフューザ通路41内に移動する。空気がディフューザ通路41を出るに従い、それはブロック35の水平上方面上に配置されたプリナムチャンバ43内に受け取られ、そこで空気は底面24内のスロットアパーチャ26を通じてその後大気に放出されるよう広がる。
【００１９】
当業者には理解できるように、ディフューザ通路41の存在は空気流の速度を減少させ、泡ブロック35の音吸収効果と結合し、装置で生成されたノイズを減少させる。さらに、空気はディフューザ通路41からスロットアパーチャ26を通じて大気圧へ出るため、ディフューザ入口圧力、すなわちファン40の出口圧力は大気圧より低い。結果として、ファン40の設計を変更する必要がなく、モーター11を通過する空気流量が増加する。その効果において、ディフューザは同時にノイズを最小化するべく出口速度を減少させながら、空気流量を増加させるようファン40に吸引をもたらしかつモーターをより冷却させるよう機能する。
【００２０】
ファン40からの主流方向は半径方向であるため、たとえ対向するディフューザ面37と42の間の空間が、空気がプリナムチャンバ43を通過するところの点で減少するように示されていても、ディフューザ通路41内の有効通路領域は増加し、そこでプリナムチャンバ43の一方が泡ブロック35によって画成されるため、より音が吸収される。
【００２１】
上記したように、冷却空気によって生成されたノイズを吸収すると同時にモーターを冷却するための改良された装置を含むモーターハウジングは実質的に技術を改良し若しくは本発明の目的を達成することは明白である。
【図面の簡単な説明】
【図１】図１は、実質的に図３のライン１−１に沿って取られた略示的な部分断面図であり、本発明に従って作られた音吸収装置を有するモーターハウジング示す。
【図２】図２は、実質的に図３のライン２−２に沿って取られた略示的な部分断面図である。
【図３】図３は、本発明に従って作られた音吸収装置を有するモーターハウジングの底面図である。
【図４】図４は、音吸収装置のディフューザのチョーク板成分を含む本発明のモーターハウジング成分の一部の斜視図である。
【図５】図５は、プリナムチャンバ及び音吸収材を示す音吸収装置のディフューザ成分の一部の斜視図である。
【符号の説明】
10      ハウジング
11      モーター
12      軸
13      チャンバ
19      チョーク板
33      入口アパーチャ
35      泡ブロック
36      リセス
37      傾斜面
38      チャンバ
40      ファン
41      ディフューザ通路
42      傾斜面
【図１】
0004441054.tif 000002
【図２】
0004441054.tif 000003
【図３】
0004441054.tif 000004
【図４】
0004441054.tif 000005
【図５】
0004441054.tif 000006